(57)【要約】【課題】  冬場等の冷蔵室の冷えすぎを防止することを目的とする。【解決手段】  車両１の荷台２に架装され、仕切壁４３により冷凍室４１と冷蔵室４２に区分けされた収容庫４と、冷凍室４１に設けられ、少なくとも冷凍室４１内を冷却する蒸発器１１と、冷凍室４１の冷気を冷蔵室に送風可能にする送風機４７ａとを備え、蒸発器１１により冷凍室４１内を設定冷凍温度に冷却するとともに、その冷気の一部を、送風機４７ａにより冷蔵室４２に供給することにより、冷蔵室４２内を設定冷蔵温度に冷却する車両用冷凍装置において、冷凍室４１側から冷蔵室４２内に沿って延出するととともに、その延出方向の端部に送風機４７ａを配置した冷蔵ダクト４７と、冷蔵ダクト４７の冷凍室側の開口部４７ｂに設けられ、送風機４７ａの停止時に、開口部４７ｂに侵入する冷気を遮蔽する遮蔽手段５０とを備えている。【選択図】図３
2008134001.tif 000002
【特許請求の範囲】
【請求項１】
車両（１）の荷台（２）に架装され、
仕切壁（４３）により冷凍室（４１）と冷蔵室（４２）に区分けされた収容庫（４）と、
前記冷凍室（４１）に設けられ、少なくとも前記冷凍室（４１）内を冷却する蒸発器（１１）と、
前記冷凍室（４１）の冷気を前記冷蔵室（４２）に送風可能にする送風機（４７ａ）とを備え、
前記蒸発器（１１）により前記冷凍室（４１）内を所定の冷凍温度に冷却するとともに、前記蒸発器（１１）により冷却された前記冷凍室（４１）内の冷気の一部を、前記送風機（４７ａ）により前記冷蔵室（４２）に供給することにより、前記冷蔵室（４２）内を所定の冷蔵温度に冷却する車両用冷凍装置において、
前記冷凍室（４１）側から前記冷蔵室（４２）内に沿って延出するととともに、その延出方向の端部に前記送風機（４７ａ）を配置したダクト（４７）と、
前記ダクト（４７）の前記冷凍室（４１）側の開口部（４７ｂ）に設けられ、前記送風機（４７ａ）の停止時に、前記開口部（４７ｂ）に侵入する冷気を遮蔽する遮蔽手段（５０）とを備えていることを特徴とする車両用冷凍装置。
【請求項２】
前記ダクト（４７）を通じて前記冷蔵室（４２）内に吹出された冷気を、前記冷蔵室（４２）内で循環させるための還流ダクト（４８）を備え、
前記還流ダクト（４８）は、前記冷蔵室（４２）と前記冷凍室（４１）を連絡する開口部（４８ａ、４８ｂ）を有するとともに、
前記冷凍室（４１）側の開口部（４８ｂ）には、前記遮蔽手段（５０）が設けられていることを特徴とする請求項１に記載の車両用冷凍装置。
【請求項３】
前記遮蔽手段（５０）は、可撓性を有するシート部材（５１、５２）を備え、
前記シート部材は、前記冷凍室（４１）側の前記開口部（４７ｂ、４８ｂ）を塞ぐように配置されていることを特徴とする請求項１または請求項２に記載の車両用冷凍装置。
【請求項４】
前記還流ダクト（４８）は、前記ダクト（４７）の延出方向に沿って配置されるとともに、
前記ダクト（４７）の前記開口部（４７ｂ）と、前記還流ダクト（４８）の前記開口部（４８ｂ）とは、面一に配置されており、
前記シート部材（５１、５２）は、隣接する前記ダクトと前記還流ダクトとの間に、スリット状の切れ込み部（５３）が設けられていることを特徴とする請求項３に記載の車両用冷凍装置。
【請求項５】
前記収容庫（４）は、前記仕切壁（４３）に対向する側壁に、前記収容庫（４）内を開放するための開閉ドア（４６）が設けられており、
前記ダクト（４７）は、前記収容庫（４）内の上壁（４ａ、４ｂ）に沿って延びているとともに、閉状態の前記開閉ドア（４６）の近傍に、前記ダクト（４７）の前記延出方向の端部が配置されていることを特徴とする請求項１から請求項４のいずれか一項に記載の車両用冷凍装置。
【請求項６】
前記仕切壁（４３）は、前記冷凍室側および前記冷蔵室側の少なくとも一方に移動可能であって、
前記冷凍室（４１）側の前記開口部（４７ｂ、４８ｂ）および前記遮蔽手段（５０）は、常に前記冷凍室（４１）内に配置されていることを特徴とすることを特徴とする請求項１から請求項５のいずれか一項に記載の車両用冷凍装置。
【請求項７】
請求項１から請求項６のいずれか一項に記載の車両用冷凍装置において、
前記荷台（２）は、前記車両に架装され荷物庫であって、
前記収容庫（４）は、
前記貨物庫（２）内に架装されているとともに、
前記貨物庫（２）内の荷物を出し入れするための第１開閉手段（２６）とは独立して、
車外からの出し入れを可能とする第２開閉手段（４５、４６）を備えていることを特徴とする車両用冷凍装置。
【請求項８】
請求項１から請求項７のいずれか一項に記載の車両用冷凍装置において、
前記送風機（４７ａ）を駆動する送風制御手段と、
前記冷蔵室（４２）内の冷蔵温度に基づいて、前記送風機（４７ａ）の送風と送風停止とを切替える冷蔵室温度調整手段と、
を備えていることを特徴とする車両用冷凍装置。
【請求項９】
請求項１から請求項８のいずれか一項に記載の車両用冷凍装置において、
前記収容庫（４）の前記冷蔵室（４２）側の第２開閉手段（４６）の開放状態、閉鎖状態を検出する開閉ドア状態検出手段と、
前記開閉ドア状態検出手段により開放状態を検出した場合には、前記送風機（４７ａ）を強制送風させるエアカーテン手段と、
をさらに備えていることを特徴とする車両用冷凍装置。
【発明の詳細な説明】
【技術分野】
【０００１】
本発明は、車両用冷凍装置に関し、例えば車両の荷台に架装した収容庫内を冷却する冷凍・冷蔵装置に適用して好適なものである。
【背景技術】
【０００２】
従来、冷凍車の荷室を仕切壁で区分けし、区分けされた各冷凍室を別々に温度管理するものが知られている（特許文献１参照）。また、冷蔵車の荷室を仕切壁で区分けし、区分けされた各冷凍室を別々に温度管理するものが知られている（特許文献２参照）。
【０００３】
車両の荷台に架装したコンテナ内に、冷凍室および冷蔵室を設けた収容庫を設置するという要求があり、収容庫を仕切壁で区分けし、冷凍室と冷蔵室を別々に温度管理するものがある。このような車両用冷凍装置としては、エバポレータ（蒸発器）を一つ設けて、このエバポレータで冷凍室内を所定の冷凍温度に冷却すると共に、冷凍室から冷蔵室に送風可能な送風機（以下、冷蔵ファン）を設けて、冷凍室の冷気の一部を冷蔵ファンにより冷蔵室に供給することにより、冷蔵室内を所定の冷蔵温度に冷却するものが一般的に知られている。
【特許文献１】特開２００２−２８６３４５号公報
【特許文献２】実開平５−１７４６９号公報
【発明の開示】
【発明が解決しようとする課題】
【０００４】
発明者は、上記車両の収容庫の冷蔵室側のドア開放時における冷蔵室の室内温度の上昇を抑えるために、冷凍室の冷気の一部を冷蔵室側のドア近傍に導くダクト（以下、冷蔵ダクト）を設け、冷蔵ダクトの先端部に上記送風機を設けることを検討している。このような構成のものを、上記従来技術の車両用冷凍装置を適用すると、以下の問題が生じるおそれがある。
【０００５】
即ち、冷蔵ファンをドア側に設置し、例えば冷蔵室の天井に沿ってドア側まで引張り出だした冷蔵ダクトを通じて、冷蔵ファンにより吹出された冷凍室の冷気を、ドア開放時のエアカーテンとして利用することは可能である。しかしながら、ドア閉状態において、冷蔵ファンの停止時、冷蔵ダクト内に冷凍室の冷気が侵入しており、冷蔵ファン等の開口部からその冷気が漏れるため、冬場などでは冷蔵室が冷えすぎるという問題がある。場合によっては冷えすぎた冷蔵ダクトに結露が生じるおそれがある。
【０００６】
この対策として、冷蔵ファンの開口部である吹出口に、開閉するダンパを設けることが考えられる。しかしながら、冷蔵ファンの停止時にこのダンパで吹出口を閉じたとしても、冷蔵ダクト内が冷凍室の冷気で冷えることを防ぐことはできません。場合によっては、冷凍室内に延在しているダクト自体の冷却作用により、冷蔵室が冷えすぎてしまう可能性がある。
【０００７】
本発明は、このような事情を考慮してなされたものであり、一つの冷却用蒸発器を用いて冷凍室と冷蔵室とを、冷凍室の冷気の一部を冷蔵室に送風することにより別々に温度管理するものにおいて、冬場等の冷蔵室の冷えすぎを防止することを目的とする。
【０００８】
また、別の目的は、冬場等の冷蔵室の冷えすぎを防止するとともに、その冷えすぎ防止が図れる簡易な構成を備えた車両用冷凍装置を提供することにある。
【課題を解決するための手段】
【０００９】
本発明は上記目的を達成するために、以下の技術的手段を備える。
【００１０】
請求項１乃至９に記載の発明では、車両（１）の荷台（２）に架装され、仕切壁（４３）により冷凍室（４１）と冷蔵室（４２）に区分けされた収容庫（４）と、冷凍室（４１）に設けられ、少なくとも冷凍室（４１）内を冷却する蒸発器（１１）と、冷凍室（４１）の冷気を冷蔵室（４２）に送風可能にする送風機（４７ａ）とを備え、蒸発器（１１）により冷凍室（４１）内を所定の冷凍温度に冷却するとともに、蒸発器（１１）により冷却された冷凍室（４１）内の冷気の一部を、送風機（４７ａ）により冷蔵室（４２）に供給することにより、冷蔵室（４２）内を所定の冷蔵温度に冷却する車両用冷凍装置において、
冷凍室（４１）側から冷蔵室（４２）内に沿って延出するととともに、その延出方向の端部に送風機（４７ａ）を配置したダクト（４７）と、
ダクト（４７）の冷凍室（４１）側の開口部（４７ｂ）に設けられ、送風機（４７ａ）の停止時に、開口部（４７ｂ）に侵入する冷気を遮蔽する遮蔽手段（５０）とを備えていることを特徴とする。
【００１１】
これによると、ダクト（４７）の冷凍室（４１）側の開口部（４７ｂ）に設けられ、送風機（４７ａ）の停止時に、開口部（４７ｂ）に侵入する冷気を遮蔽する遮蔽手段（５０）を備えるので、例えば仕切壁に送風機等を設置する冷気供給手段等でなく、冷凍室（４１）の冷気を冷蔵室（４２）に導くためのダクト（４７）を、冷凍室（４１）側から冷蔵室（４２）内に沿って引き出すものであっても、冬場等の冷蔵室（４２）の冷えすぎを防止することができる。
【００１２】
なお、上記遮蔽手段（５０）では、送風機（４７ａ）の停止前、つまり冷凍室（４１）の冷気を利用して冷蔵室（４２）を冷却するためにダクト内に供給されていた冷気は、ダクト（４７）内に残留するが、送風機（４７ａ）停止後に、冷蔵室（４２）の冷却に不要な冷凍室（４１）の冷気がダクト（４７）内へ侵入するのを、確実に防止するからである。
【００１３】
また、ダクト（４７）を通じて冷蔵室（４２）内に吹出された冷気を、冷蔵室（４２）内で循環させるための還流ダクト（４８）を備えている場合においては、請求項２に記載の発明の如く、還流ダクト（４８）は、冷蔵室（４２）と冷凍室（４１）を連絡する開口部（４８ａ、４８ｂ）を有するとともに、冷凍室（４１）側の開口部（４８ｂ）には、遮蔽手段（５０）が設けられていることが好ましい。
【００１４】
これにより、送風機（４７ａ）の停止時において、還流ダクト（４８）を通じて冷凍室（４１）の冷気が冷蔵室（４２）へ逆流するのを防止することができる。
【００１５】
また、上記遮蔽手段（５０）は、請求項３に記載の発明の如く、可撓性を有するシート部材（５１、５２）を備え、シート部材（５１、５２）は、冷凍室（４１）側の開口部（４７ｂ、４８ｂ）を塞ぐように配置されていることが好ましい。
【００１６】
これによると、遮蔽手段（５０）を、例えばセロファン等の可撓性を有するシート部材（５１、５２）を冷凍室（４１）側の開口部（４７ｂ、４８ｂ）を塞ぐように配置する構成とすることができるので、比較的簡素な構成で車両用冷凍装置を提供することができる。
【００１７】
特に、冷凍室（４１）側の開口部（４７ｂ、４８ｂ）として、ダクト（４７）の開口部（４７ｂ）および還流ダクト（４８）の開口部（４８ｂ）を有する場合においては、請求項４に記載の発明の如く、還流ダクト（４８）は、ダクト（４７）の延出方向に沿って配置されるとともに、ダクト（４７）の開口部（４７ｂ）と、還流ダクト（４８）の開口部（４８ｂ）とは、面一に配置されており、シート部材（５１、５２）は、隣接するダクトと還流ダクトとの間に、スリット状の切れ込み部（５３）が設けられていることが好ましい。
【００１８】
これにより、ダクト（４７）の開口部（４７ｂ）と、還流ダクト（４８）の開口部（４８ｂ）とを遮蔽するシート部材（５１、５２）を、開口部（４７ｂ、４８ｂ）ごとに別個に設ける必要はないので、簡素な構成かつ安価な車両用冷凍装置を提供することができる。
【００１９】
なお、このような構成が好適であるのは、ダクト（４７）および還流ダクト（４８）の各開口部（４７ｂ、４８ｂ）を面一に配置しているので、各開口部（４７ｂ、４８ｂ）に対応するシート部材（５１、５２）を一体化できるからである。しかも、一体化した可撓性を有するシート部材（５１、５２）は、隣接するダクトと還流ダクトとの間に、スリット状の切れ込み部（５３）を設けられているので、送風機（４７ａ）の送風時におけるダクト（４７）内の冷気の流れ、および還流ダクト（４８）内の冷気の流れを阻害しない方向に、切れ込み部によって各開口部（４７ｂ、４８ｂ）に対応するシート部材（５１、５２）の部位を、撓ませられるからである。
【００２０】
また、請求項５に記載の発明では、収容庫（４）は、仕切壁（４３）に対向する側壁に、収容庫（４）内を開放するための開閉ドア（４６）が設けられており、ダクト（４７）は、収容庫（４）内の上壁（４ａ、４ｂ）に沿って延びているとともに、閉状態の開閉ドア（４６）の近傍に、ダクト（４７）の延出方向の端部が配置されていることを特徴とする。
【００２１】
これにより、冷凍室（４１）の冷気の一部を冷蔵室（４２）側の開閉ドア（４６）近傍に導いたダクト（４７）の端部にある送風機（４７ａ）により吹出された冷凍室（４８）の冷気を、開閉ドア（４６）開放時のエアカーテンとして利用することができる。したがって、収容庫（４）の開閉ドア（４６）開放時における冷蔵室（４２）の室内温度の上昇を抑えることができる。
【００２２】
また、上記収容庫（４）内の仕切壁（４３）が、冷凍室側および冷蔵室側の少なくとも一方に移動可能である場合においては、請求項６に記載の発明の如く、冷凍室（４１）側の開口部（４７ｂ、４８ｂ）および遮蔽手段（５０）は、常に冷凍室（４１）内に配置されていることが好ましい。これにより、冬場等の冷蔵室（４２）の冷えすぎ防止が図れるとともに、冷凍室（４１）及び冷蔵室（４２）に共用する蒸発器（１１）と送風機（４７ａ）とによる簡素な冷却手段によって、冷凍室（４１）内の冷凍温度および冷蔵室（４２）内の冷蔵温度を、所定の冷凍温度、および所定の冷蔵温度に温度管理することができる。
【００２３】
また、上記収容庫（４）が、車両（１）の荷台（２）の全部ではなく、一部に架装され、しかもその荷台（２）が貨物等を輸送する貨物庫である場合においては、請求項７に記載の発明の如く、貨物庫（２）内の荷物を出し入れするための第１開閉手段（２６）とは独立して、車外からの出し入れを可能とする第２開閉手段（４５、４６）を備えていることが好ましい。
【００２４】
一般に、車両に架装された貨物庫の空間の一部に、内部を冷凍室と冷蔵室に区分けした収容庫を設置する場合において、車両で集配する荷物のうち、大部分が常温状態で輸送可能な荷物であり、一部の荷物のみが、冷凍保存が必要であったり冷蔵保存が必要なものであるので、冷凍装置を装備した収容庫は、安価であることが要求される。一方、収容庫の開閉ドアの開放時における室内温度の上昇を抑えるために、例えば収容庫の冷蔵室を冷却するための冷気を送風する送風手段とは別に、開閉ドアの下部に冷気を送風する送風手段を設け、開閉ドア開放時のエアカーテンとして利用するものがある。しかしながら、冷凍装置を装備した収容庫は高価なものとなってしまうため、上記要求を満足することが難しい。
【００２５】
これに対して請求項７に記載の発明は、収容庫内に冷凍室（４１）の冷気を冷蔵室（４２）に導くためのダクト（４７）を、冷凍室（４１）側から冷蔵室（４２）内に沿って引き出すことにより、冷凍室（４１）の冷気を開閉ドア（４６）開放時のエアカーテンとして利用可能にするとともに、冬場等の冷蔵室（４２）の冷えすぎを防止することができる。しかも、冷凍室（４１）側から冷蔵室（４２）内に沿ってダクトを引き出す程度の構成であるので、安価な車両用冷凍装置を提供することができる。
【００２６】
また、請求項８乃至９に記載の発明では、請求項１から請求項７のいずれか一項に記載の車両用冷凍装置において、送風機（４７ａ）を駆動する送風制御手段と、冷蔵室（４２）内の冷蔵温度に基づいて、送風機（４７ａ）の送風と送風停止とを切替える冷蔵室温度調整手段とを備えていることを特徴とする。
【００２７】
これによると、冷蔵室（４２）内の冷蔵温度に基づいて送風機（４７ａ）の送風と送風停止とを切替えるという比較的簡単な冷蔵室温度調整方法で、冷凍室（４１）の冷気を利用して冷蔵室（４２）を所定の冷蔵温度に調整することができるとともに、冷蔵室（４２）内の冷蔵温度が所定の冷蔵温度に調整されている場合において、送風機（４７ａ）を送風停止しても、冬場等の冷蔵室（４２）の冷えすぎを防止することができる。
【００２８】
特に、請求項９に記載の発明では、請求項１から請求項８のいずれか一項に記載の車両用冷凍装置において、収容庫（４）の冷蔵室（４２）側の第２開閉手段（４６）の開放状態、閉鎖状態を検出する開閉ドア状態検出手段と、開閉ドア状態検出手段により開放状態を検出した場合には、送風機（４７ａ）を強制送風させるエアカーテン手段とをさらに備えていることを特徴とする。
【００２９】
これにより、冷凍室（４１）の冷気を利用して冷蔵室（４２）を所定の冷蔵温度に調整する送風機（４７ａ）を用いて、収容庫（４）の冷蔵室（４２）側の第２開閉手段（４６）が開放状態にあるとき、冷凍室（４１）の冷気を強制送風させるので、収容庫（４）の開閉ドア（４６）開放時における冷蔵室（４２）の室内温度の上昇を確実に抑えられる。
【００３０】
なお、上記各手段に付した括弧内の符号は、後述する実施形態記載の具体的手段との対応関係を示す一例である。
【発明を実施するための最良の形態】
【００３１】
以下、本発明の車両用冷凍装置を、貨物型車両の荷台に設けた庫内を冷凍・冷蔵する冷凍装置に適用して具体化した実施形態を図面に従って説明する。
【００３２】
図１は、本実施形態の車両用冷凍装置を搭載した車両を模式的に示す斜視図である。図２は、図１中の収容庫を示す斜視図である。図３は、図２中の収容庫内の内部を説明する図であって、仕切壁により区画された冷凍室および冷蔵室内の構成を示す斜視図である。図４は、図３中の循環ダクト内の冷気の流れを示す図であって、図５（ａ）は冷蔵ダクトの冷蔵ファンがＯＮ状態、図５（ｂ）は冷蔵ファンがＯＦＦ状態である場合を示す断面図である。
【００３３】
なお、図６は、図１中の車両用冷凍装置の冷凍サイクルの一例を示す模式図である。図７は、図２中の冷却ユニットを示す図であって、図７（ａ）は車両の前方よりみた部分断面図、図７（ｂ）は図７（ａ）中のVIIＢよりみた平面図、図７（ｃ）は図７（ｂ）中のVIIＣよりみた断面図である。図８は、図７（ａ）中のＣ部の構造を示す斜視図である。
【００３４】
貨物型車両（以下、車両）１の荷台には、図１に示すように、冷凍保存が必要な冷凍食品等の荷物（以下、冷凍荷物）や冷蔵保存が必要な生食品等の冷蔵荷物を、冷却して冷凍・冷蔵する収容庫４が設けられている。この収容庫４は、車両１の荷台の全体をほぼ占めるような体格であっても、荷台の一部を占める体格であってもよい。本実施例では、収容庫４は荷台の一部を占めるように設置されている。
【００３５】
また、図１に示すように、この荷台自体は、箱型状の貨物庫（以下、コンテナ）２に形成され、車両１の運転室の後方に架装されている。コンテナ２は、内部に、常温保存が可能な常温荷物を収容可能な貨物室２１が設けられており、貨物室２１は、アルミ部材からなるパネル状の前壁、後壁、左右の側壁、上壁、および床壁の六面で形成され、後壁には、貨物室２１に常温荷物を出し入れ可能にする開閉ドア（以下、第１開閉ドア）２６が設けられている。
【００３６】
なお、第１開閉ドア２６は、比較的間口の広い後壁を、図１に示す如くドア２６ａ、２６ｂ、２６ｃからなる３枚に分割して開閉する３枚ドア構造であっても、２枚に分割して開閉する２枚ドア構造であってもよい。
【００３７】
また、コンテナ２は、その貨物室２１内のうちの車両前方側の部位に、上記の収容庫４を架装している。コンテナ２の左右の各側壁の一部には、収容庫４内に冷凍荷物、冷蔵物荷を、別個に出し入れするための、第２開閉ドア４５、４６が設置可能な窓が設けられている。
【００３８】
収容庫４は、箱型状に形成されており、車両１の車幅方向、即ちコンテナ２内の左右方向にわたって延在しており、コンテナ２の側壁間にほぼ納まる大きさである。収容庫４は、上壁４ａ、前壁、後壁、左右の側壁、および床壁が断熱材で形成されている。左右の側壁には、前述の第２開閉ドア４５、４６が設けられている。第２開閉ドア（以下、冷凍開閉ドア）４５は、後述の冷凍室４１に冷凍荷物を出し入れ可能にする開閉ドアであり、第２開閉ドア（以下、冷蔵開閉ドア）４６は、後述の冷蔵室４２に冷蔵荷物を出し入れ可能にする開閉ドアである。
【００３９】
収容庫４は、仕切壁４３により、内部の庫室を、冷凍室４１と冷蔵室４２に区分けされている。この仕切壁４３は、収容庫４内を冷凍室４１側および冷蔵室４２側に移動可能に設けられており、冷凍室４１の室内空間、および冷蔵室４２の室内空間を適宜変更可能な周知の構造を有している。
【００４０】
また、このような収容庫４は、冷凍室４１側に冷凍装置を構成する冷却ユニット（以下、クーリングユニット）１１０が設けられており、主に、空気通路となる断熱ケース３ａ内に、後述する蒸発器１１と、冷凍ファン１１ａとを内蔵している。なお、クーリングユニット１１０は、冷凍室４１側の上壁４ａに開けた穴部に配置されている。また、冷凍ファン１１ａは、本実施例では２個である。
【００４１】
ここで、上記冷凍装置における冷凍サイクルは、図６に示すように、圧縮機７、凝縮器８、レシーバー９、減圧手段１０、蒸発器１１、アキュムレータ１２と、これらをつなぐ冷媒配管とからなる周知のものである。まず、圧縮機７は、気相冷媒を吸入して高温高圧に圧縮するもので、図示しない車両走行用エンジンによって駆動されるようになっている。
【００４２】
そして、圧縮機７は、駆動力断続手段である周知の電磁クラッチ７ａにて選択的に駆動もしくは停止となるように切り換えられる。なお、この電磁クラッチ７ａは、通電されると上記走行用エンジンの駆動力を圧縮機７に伝達し、通電が遮断されると上記走行用エンジンからの駆動力を遮断するものである。
【００４３】
凝縮器８は、圧縮機７から吐出される冷媒を凝縮させるもので、車両側方上部（例えば、図１中のコンテナ２の前壁上部）に立てて設置されており、冷却ファン８ａによって送風される冷却風によって内部の冷媒が冷却されて凝縮される。レシーバー９は、凝縮器８にて凝縮された冷媒を気相冷媒と液相冷媒とに分離するとともに、液相冷媒を貯留しながら且つ導出するものである。
【００４４】
減圧手段としての膨張弁１０は、レシーバー９からの液相冷媒を減圧するものである。この膨張弁１０は、蒸発器１１の出口冷媒温度を検知する図示しない感温部を有する温度作動式膨張弁であり、蒸発器１１の出口冷媒の過熱度を所定置に維持するように弁開度（冷媒流量）を調整するものである。
【００４５】
蒸発器１１は、膨張弁１０で減圧された冷媒を、冷凍ファン１１ａで循環される冷凍室４１内の空気と熱交換させて蒸発させ、その蒸発潜熱によって循環空気を冷却する熱交換器である。アキュムレータ１２は、蒸発器１１を通過した冷媒を気相冷媒と液相冷媒とに分離するとともに、液相冷媒を貯留しながら気相冷媒を圧縮機７へ導出するものである。
【００４６】
図７に示すように、冷凍ファン１１ａは、断熱ケース３ａの下面側から冷凍室４１内の空気を吸い込んで、蒸発器１１を通過させて冷却した後、断熱ケース３ａの車両左側側面に沿って冷凍室４１内の下方へ送風するようになっている。即ち、冷凍ファン１１ａに送風された冷気は、断熱ケース３ａの車両左側側面を経由し、仕切壁４３の冷凍室４１側壁面に沿って下方に流れる。この冷凍ファン１１ａは、冷凍室４１内全体に蒸発器１１にて冷却された冷気を送風し、冷凍室４１内を均一な温度分布にするためのものである。
【００４７】
また、蒸発器１１の下方には、図７に示すように、蒸発器１１より生じる凝縮水を受けて集めるドレンパン２０が設けられている。このドレンパン２０に集まった凝縮水は、断熱ケース３ａの内部下面に設けられた排水通路３ｂ（本実施形態では車両左右側に２箇所、図７参照）を通り、この排水通路３ｂに接続されたドレンホース２１を通って冷凍室４１の外に出て図示しない車両床下に排水される。
【００４８】
また、本実施形態における冷凍サイクルには、圧縮機７の吐出側（Ｐ１）と膨張弁１０の下流側かつ蒸発器１１の上流側（Ｐ２）とを連通してホットガスを導く除霜用バイパス回路ＢＰが設けられているものであってもよい。（図６参照）。この場合、除霜用バイパス回路ＢＰには、開閉手段である電磁弁１６が設置されている。
【００４９】
また、この除霜用バイパス回路ＢＰを形成する冷媒配管１５の一部は、ホットガス除霜時にドレンパン２０を加熱するドレンパンヒータ１５ａを兼ねており、ドレンパン２０の内側表面を這わすようにして設置されている（図７参照）。そして、排水通路３ｂ内に、ドレンパンヒータ１５ａにホットガスを導く冷媒配管１５が通るようにしている。
【００５０】
なお、上記車外に排水するためのドレンホース２１のうち、図７（ａ）中のＣ部の如く、冷凍室２内を通っている部分がある。この部分にあたるドレンホース２１は、図８に示すように、冷媒配管１５を抱き合わせ、それらの外面をウレタンなどの断熱部材２４で覆い、この部分でも凍結詰まりが起こらぬようドレンホース２１を暖めるようにすることが好ましい。ホットガス除霜時に、蒸発器１１やドレンパン２０で融けた霜が水となって排水通路３ｂ内を流れる間に、冷えている断熱ケース３ａ上で凍結して凍結詰まりを起こさぬよう、ホットガスの流れる配管部分で排水通路３ｂ及び上記ドレンホース２１部分も同時に暖められる。
【００５１】
制御装置６は、マイクロコンピュータなどのコンピュータ手段を含んで構成されたものであり、入力端子からの入力信号に基づいて演算処理し、上記冷凍サイクルを制御するものである。制御装置６には、入力信号として冷凍室４１内の設定温度（以下、設定冷凍温度）を設定する温度設定器（図示せず）と、冷凍室４１での冷凍を開始する冷凍開始スイッチ（図示せず）とが接続されている。さらに、後述する冷蔵室４２内の設定冷蔵温度を設定する温度設定器（図示せず）と、冷蔵室４２での冷蔵を開始する冷蔵開始スイッチ（図示せず）とが、制御装置６に接続されている。
【００５２】
なお、温度設定器は、例えば可変抵抗などにて構成されており、設定冷凍温度については、例えば−１０℃〜−２０℃までの範囲で任意に設定温度が変更可能となっており、また、設定冷凍温度については、例えば＋５℃〜＋１０℃までの範囲で任意に設定温度が変更可能となっている。
【００５３】
一方、出力信号としては、上記電磁クラッチ７ａの通電回路と、冷却ファン８ａと、冷凍ファン１１ａと、電磁弁１６と、後述の冷蔵ファン４７ａが、制御装置６に接続されている。
【００５４】
次に、収容庫４内の冷蔵室４２は、冷凍室４１を冷気の一部を利用して、所定の設定冷蔵温度に調整されるものである。この冷蔵室４２を、図２及び図３に従って説明する。なお、図３は、図２中の破線で示す冷蔵室４２内に配置される装置および部品を説明のため、太線で模式的に示している。
【００５５】
図７に示すように、収容庫４の冷蔵室４２側の上壁の下面側には、冷凍室４１の冷気（以下、冷凍冷気）を冷蔵室４２へ導くためのダクト（以下、冷蔵ダクト）４７が設置されている。その冷蔵ダクト４７は、略矩形状の流体通路が内部に形成されており、その流体流路の一方の開口部（以下、第１冷凍室側開口部）４７ｂが冷凍室４１内に設けられ、また他方の開口部は、冷蔵室４２側の冷蔵開閉ドア４６に向けて延びており、その開口部に冷蔵ファン４７ａが設置され、冷蔵ファン４７ａの送風により冷凍冷気を吹出すように構成されている。なお、冷蔵ファン４７ａは、本実施例では４個設けられており、冷蔵ダクト４７の４つの開口部にそれぞれ設置されている。
【００５６】
また、仕切壁４３が冷凍室４１側および冷蔵室４２側に移動可能な場合には、冷蔵ダクト４７と仕切壁４３を互いに挿通可能な構成等にすることにより、第１冷凍室側開口部４７ｂが冷凍室４１内に常に開口する構造としている。これにより、仕切壁４３が冷凍室４１側に最大移動した状態であっても、図２の如く、第１冷凍室側開口部４７ｂが冷凍室４１内に配置されている。
【００５７】
なお、冷蔵ダクト４７の冷蔵ファン４７ａが設置された端部側は、閉鎖状態の冷蔵開閉ドア４６の近傍に配置されていることが好ましい。この場合、冷蔵開閉ドア４６の開放時に、冷蔵ファン４７ａの送風により下方に冷凍冷気を吹出すようにする。その吹出された冷凍冷気は、図２中の矢印方向に流れ、エアカーテンとして利用することができる。したがって、冷蔵開閉ドア４６の開放時における冷蔵室４２の冷蔵温度の上昇を抑えることができる。
【００５８】
また、冷蔵室４２内には、図２に示すように、冷蔵室４２から冷凍室４１へ冷蔵室４２の冷気（以下、冷蔵冷気）の一部を戻す還流ダクト４８が設けられている。還流ダクト４８は、略矩形状の流体通路が内部に形成されており、その流体流路の一方の開口部（以下、第２冷凍室側開口部）４８ｂが冷凍室４１内に設けられ、また他方の開口部（以下、還流用開口部）４８ａは、冷蔵開閉ドア４６に向けて延びている還流ダクト４８の途中に設けられており、冷蔵室４２の下方に向けて開口している。この還流ダクト４８は、冷蔵ファン４７ａの送風時に、冷蔵ファン４７ａの送風動作による冷蔵室４２内の正圧化を抑制し、冷蔵ファン４７ａより吹出された冷凍冷気を、冷蔵室内で循環し易くする。この還流ダクト４８は、冷蔵室４２内全体に冷凍冷気を循環し易くすることで、冷蔵室４２内を均一な温度分布にするためのものである。
【００５９】
このような冷蔵室４２の室内温度（以下、冷蔵温度）を、設定冷蔵温度に調整するため、上記制御装置６は、以下の主な制御機能をさらに備えている。即ち、制御装置６は、冷蔵温度調整手段と、エアカーテン手段とを有している。
【００６０】
冷蔵温度調整手段は、冷蔵温度に基づいて、冷蔵ファン４７ａの送風と送風停止とを切替えるものであって、冷蔵ファン４７ａの駆動モータをＯＮ、ＯＦＦ駆動制御することにより、冷蔵温度を設定冷蔵温度に調整する。冷蔵温度が設定冷蔵温度より高い場合には、冷蔵ファン４７ａがＯＮ動作（以下、ＯＮ）される。冷蔵ファン４７ａがＯＮされると、冷凍冷気が、冷蔵ダクト４７を通じて冷蔵室４２へ冷蔵ファン４７ａから拭き出される。そして、冷蔵温度が設定冷蔵温度に到達した場合には、冷蔵ファン４７ａをＯＦＦ動作（以下、ＯＦＦ）して、冷蔵室４２への冷凍冷気の供給を停止する。
【００６１】
エアカーテン手段は、冷蔵開閉ドア４６の開放状態を検出した場合に、冷蔵ファン４７ａをＯＮさせ、強制送風させる。なお、冷蔵開閉ドア４６の開放状態、閉鎖状態は、図２に示すような冷蔵開閉ドア４６の開錠機構の開錠状態、施錠状態を検出する検出装置４６ａで検出する。冷蔵開閉ドア状態検出手段は、上記検出装置４６ａに限らず、冷蔵開閉ドア４６自体の開放動作、閉鎖動作を検出するものであってもよく、冷蔵開閉ドア４６の開放状態、閉鎖状態を検出可能な装置であればいずれでもよい。
【００６２】
上記検出装置４６ａによる冷蔵開閉ドア４６の開放状態、閉鎖状態の検出方法では、車両の運転者等の乗員による開錠動作を検知することができるため、乗員が冷蔵開閉ドア４６を開放動作を開始直後から、冷蔵ファン４７ａを強制送風させられ、冷凍冷気をエアカーテンに利用できる。
【００６３】
また、上記冷蔵室４２の冷蔵温度調整方法において、設定冷蔵温度のために必要な冷凍冷気の冷却熱容量が比較的僅かである場合がある。例えば冬場では、他の季節に比べて外気温が低く、設定冷蔵温度との差は比較的僅かである。このような条件では、上記必要な冷凍冷気の冷却熱容量は僅かとなる。このような場合には、冷蔵室４２が冷えすぎという問題があり、場合によっては冷えすぎた冷蔵ダクト４７に結露が生じるおそれがある。
【００６４】
以下の本実施例の説明では、例えば、設定冷凍温度を−２０℃に、設定冷蔵温度を＋５℃に設定しており、冷凍室４１内で冷却された冷凍冷気は、冷蔵室４２内に供給可能な冷気量があり、その冷気量は、設定冷蔵温度に調整するには十分な冷却熱容量があるものとする。
【００６５】
本実施形態では、図３に示すように、冷蔵ダクト４７の第１冷凍室側開口部４７ｂ、および還流ダクト４８の第２冷凍室側開口部４８ｂには、遮蔽手段としての可撓性を有するシート部材５１、５２が設けられている。これにより、冷蔵室４２の冷却が不要なときには、冷蔵ファン４７ａの送風が停止されているので、図４（ｂ）および図５（ｂ）に示すように、シート部材５１、５２によって第１冷凍室側開口部４７ｂ、および第２冷凍室側開口部４８ｂを塞ぐことができる。従って冷凍室４１の冷凍冷気が、図４（ｂ）に示すように、冷蔵ファン停止状態で、冷凍室側開口部４７ｂを通じて冷蔵ダクト４７に侵入することはない。また、還流ダクト４８においても、図５（ｂ）に示すように、冷蔵ファン４７ａの停止状態で、冷凍室４１の冷凍冷気が、第２冷凍室側開口部４８ｂから逆流して侵入することはない。
【００６６】
各シート部材５１、５２は、セロファンなどの可撓性を有する材料から形成されている。シート部材５１、５２の材料としては、セロファンなどの高分子材料、樹脂材、あるいはゴム材であってもよく、設定冷凍温度の最低温度（例えば−２０℃）以下の冷凍冷気の雰囲気中であっても、可撓性を有するものであればいずれの材料でもよい。
【００６７】
なお、シート部材５１、５２は、セロファンのように薄膜状のシート材であることが好ましい。冷蔵ファン４７ａの送風状態では、その冷凍冷気の流れによりシート部材５１、５２が十分撓むため、冷凍冷気の流れを妨げることはない。一方、冷蔵ファン４７ａの送風停止状態では、不要な冷凍冷気が、冷凍室側開口部４７ｂおよび第２冷凍室側開口部４８ｂから侵入するのを防止できる。しかも、セロファンのようなものであれば、上記遮蔽手段を安価に提供することができる。
【００６８】
なお、以下の説明では、各シート部材５１、５２の材料はセロファンとする。
【００６９】
具体的には、シート部材（以下、第１シート部材）５１は、第１冷凍室側開口部４７ｂを塞ぐように配置される（図４（ｂ）参照）と共に、その第１シート部材５１とこれに対向する第１冷凍室側開口部４７ｂは、互いに上端部側固定されており、第１シート部材５１は上端部を支点に撓む。その撓み方向は、図４（ａ）に示すように、第１冷凍室側開口部４７ｂの左方側へ撓んで、冷凍室４１から冷凍冷気の流れを阻害しないようになっている。
【００７０】
また、シート部材（以下、第２シート部材）５２は第２冷凍室側開口部４８ｂを塞ぐように配置される（図５（ｂ）参照）と共に、その第２シート部材５２とこれに対向する第２冷凍室側開口部４８ｂは、互いに上端部側固定されており、第２シート部材５２は上端部を支点に撓む。その撓み方向は、図５（ａ）に示すように、第２冷凍室側開口部４８ｂの右方側へ撓んで、冷凍室４１へ還流させる冷蔵室４２の冷蔵冷気の流れを阻害しないようになっている。
【００７１】
なお、上記各シート部材５１、５２の製造方法としては、第１シート部材５１、第２シート部材５２を別部材で形成し、それぞれ、別個に各冷凍室側開口部４７ｂ、４８ｂに取付けるものであっても、別部材で形成した各シート部材５１、５２を一体的に組み付け遮蔽部材ＡＳＳＹに組立てた上で、各冷凍室側開口部４７ｂ、４８ｂに取付けてもよい。
【００７２】
なお、下記のような冷蔵ダクト４７および還流ダクト４８の配置にする場合には、各シート部材５１、５２の材料段階で一体化でき、更に安価な遮蔽手段を提供することができる。即ち、図３に示すように、還流ダクト４８の配置を、冷蔵ダクト４７の延出方向に沿って配置すると共に、第１冷凍室側開口部４７ｂと第２冷凍室側開口部４８ｂとが、面一に配置されるようにする。これにより、各シート部材５１、５２を、材料段階で一体化した遮蔽部材ＡＳＳＹを形成できる。すなわち、各シート部材５１、５２を、一枚のセロファンから形成できる。
【００７３】
さらに、一枚のセロファンからなる遮蔽部材ＡＳＳＹは、隣接する第１冷凍室側開口部４７ｂと第２冷凍室側開口部４８ｂとの間に対応する部位に、図３に示すように、スリット状の切れ込み部５３が設けられている。これにより、第１シート部材５１と第２シート部材５２の異なる撓み方向に対して、切れ込み部５３によって、第１シート部材５１に対応する部分と第２シート部材５２に対応する部分とを独立して撓ませられる。
【００７４】
なお、ここで、冷蔵ファン４７ａは、請求範囲に記載の送風機に対応する。また、第１シート部材５１および第２シート部材５２において、別部材で形成し、別個に各冷蔵室側開口部４７ｂ、４８ｂに装着するもの、別部材で形成し、一体的に組付けて遮蔽部材ＡＳＳＹとするもの、あるいは材料段階で一体化するものは、いずれも遮蔽手段５０である。
【００７５】
以上説明した本実施形態では、冷蔵ダクト４７の第１冷凍室側開口部４７ｂに設けられ、冷蔵ファン４７ａの送風停止時に、第１冷凍室側開口部４７ｂに侵入する冷凍冷気を遮蔽する遮蔽手段５０を備えている。これにより、例えば図示しない仕切壁に冷蔵ファン等を設置する冷気供給手段等でなく、本実施例のような冷凍冷気を導くための冷蔵ダクト（４７）が冷凍室４１側から冷蔵室４２内に沿って引き出だされているものであっても、冬場等の冷蔵室４２の冷えすぎを防止することができる。
【００７６】
なお、上記遮蔽手段５０では、冷蔵ファン４７ａの送風停止前に冷蔵ダクト４７内に供給されていた冷凍冷気は、冷蔵ダクト４７内に残留するが、冷蔵ファン４７ａの送風停止後に、冷蔵室４２の冷却に不要な冷凍冷気が冷蔵ダクト４７内へ侵入するのを、確実に防止するからである。
【００７７】
また、還流ダクト４８を備えている場合においては、還流ダクト４８の第２冷凍室側開口部４８ｂに、上記遮蔽手段５０が設けられていることが好ましい。これにより、冷蔵ファン４７ａの送風停止時において、還流ダクト４８を通じて冷凍冷気が冷蔵室４２へ逆流するのを防止することができる。
【００７８】
また、上記遮蔽手段５０は、セロファンなどの可撓性を有するシート部材５１、５２を備え、この可撓性を有する第１シート部材５１および第２シート部材５２で、それぞれ冷蔵ダクト４７の第１冷凍室側開口部４７ｂ、還流ダクト４８の第２冷凍室側開口部４８ｂを塞ぐように設置されていることが好ましい。これにより、遮蔽手段５０を、比較的簡素な構成で提供することができる。
【００７９】
また、冷蔵ダクト４７および還流ダクト４８を有する場合においては、冷蔵ダクト４７および還流ダクト４８を以下の配置とすることが好ましい。
【００８０】
即ち、還流ダクト４８を、冷蔵ダクト４７の延出方向に沿って配置すると共に、第１冷凍室側開口部４７ｂと第２冷凍室側開口部４８ｂとを、面一に配置するようにする。これにより、冷蔵ダクト４７に対応する第１シート部材５１と還流ダクト４８に対応する第２シート部材５２を材料段階で一体化でき、本実施例の如く、一枚のセロファンからなる遮蔽部材ＡＳＳＹとすることができる。
【００８１】
さらに、上記一枚のセロファンからなる遮蔽部材ＡＳＳＹは、隣接する第１冷凍室側開口部４７ｂと第２冷凍室側開口部４８ｂとの間に対応する部位に、スリット状の切れ込み部５３を設けるようにする。これにより、第１シート部材５１と第２シート部材５２の異なる撓み方向に対して、切れ込み部５３によって、第１シート部材５１に対応する部分と第２シート部材５２に対応する部分とを独立して撓ませられる。即ち、冷蔵ファン４７ａの送風時において、冷蔵ダクト４７内における冷凍室から供給される冷凍冷気の流れ、および還流ダクト４８内における冷凍室へ還流する冷蔵冷気の流れを阻害しない方向に撓ませられる。
【００８２】
したがって、冷蔵ダクト４７の第１冷凍室側開口部４７ｂと還流ダクト４８の第２冷凍室側開口部４８ｂとを遮蔽する各シート部材５１、５２を、その開口部４７ｂ、４８ｂごとに別個に設ける必要はないので、簡素な構成かつ安価な車両用冷凍装置を提供することができる。
【００８３】
また、以上説明した本実施形態では、上記冷蔵ダクト４７は、収容庫４内の上壁４ａ、４ｂに沿って延びているとともに、閉状態の冷蔵室側開閉ドア４６の近傍に、その冷蔵ダクト４７の延出方向の端部を配置していることが好ましい。これにより、冷蔵ダクト４７の端部にある冷蔵ファン４７ａにより吹出された冷凍冷気を、冷蔵室側開閉ドア４６の開放時のエアカーテンとして利用することができる。したがって、収容庫４の冷蔵室側開閉ドア４６開放時における冷蔵室４２の室内温度の上昇を抑えることができる。
【００８４】
また、以上説明した本実施形態では、車両用冷凍装置を有する収容庫４を、車両１の荷台（コンテナ）２の全部ではなく、一部に架装され、しかもその荷台２が貨物等を輸送するコンテナである場合に適用した。
【００８５】
一般に、車両１に架装されたコンテナ２の空間の一部に、内部を冷凍室４１と冷蔵室４２に区分けした収容庫４を設置する場合には、車両１で集配する荷物のうち、大部分が常温状態で輸送可能な荷物であり、一部の荷物のみが、冷凍保存が必要であったり冷蔵保存が必要なものである。このため、上記冷凍装置を装備した収容庫４は、安価であることが要求される。
【００８６】
一方、収容庫の冷蔵室側開閉ドアの開放時における室内温度の上昇を抑えるために、例えば収容庫の冷蔵室を冷却するための冷気を送風する送風手段とは別に、開閉ドアの下部に冷凍冷気を送風する送風手段を設けることにより、開閉ドア開放時のエアカーテンとして利用するものがある。しかしながら、そのような冷凍装置を装備した収容庫は高価なものとなってしまうため、上記要求を満足することが難しい。
【００８７】
これに対して本実施形態は、冷蔵ダクト４７を、冷凍室４１側から冷蔵室４２内に沿って引き出すことにより、冷凍冷気を開閉ドア４６の開放時のエアカーテンとして利用可能にするとともに、冬場等の冷蔵室４２の冷えすぎを防止することができる。しかも、冷蔵ダクト４７を冷凍室４１側から冷蔵室４２内に沿って引き出す程度の構成であるので、安価な車両用冷凍装置を提供することができる。
【００８８】
また、以上説明した本実施形態では、制御装置６は、冷蔵ファン４７ａを駆動する送風制御手段と、冷蔵室４２内の冷蔵温度に基づいて、冷蔵ファン４７ａの送風と送風停止とを切替える冷蔵室温度調整手段とを備えている。
【００８９】
これにより、冷蔵室４２内の冷蔵温度に基づいて冷蔵ファン４７ａの送風と送風停止とを切替えるという比較的簡単な冷蔵室温度調整方法で、冷凍室４１の冷凍冷気を利用して冷蔵室４２を所定の冷蔵温度（設定冷蔵温度）に調整することができるとともに、冷蔵温度が設定冷蔵温度に調整されている場合において、冷蔵ファン４７ａを送風停止しても、冬場等の冷蔵室４２の冷えすぎを防止することができる。
【００９０】
さらに、上記制御装置６は、冷蔵室側開閉ドア４６の開放および閉鎖状態を検出する検出装置４６ａにより開放状態を検出した場合には、冷蔵ファン４７ａを強制送風させるエアカーテン手段とをさらに備えていることが好ましい。
【００９１】
これにより、冷凍冷気を利用して冷蔵室４２を設定冷蔵温度に調整するための冷蔵ファン４７ａを用いて、冷蔵室側開閉ドア４６が開放状態にあるとき、冷凍冷気を強制送風させるので、冷蔵室側開閉ドア４６の開放時における冷蔵室４２の室内温度の上昇を確実に抑えられる。
【００９２】
（その他の実施形態）
以上、本発明の一実施形態について説明したが、本発明は、かかる実施形態に限定して解釈されるものではなく、その要旨を逸脱しない範囲内において種々の実施形態に適用可能である。
【００９３】
（１）例えば以上説明した本実施形態では、第１冷凍室側開口部４７ｂおよび第２冷凍室側開口部４７ｂを、冷蔵ファン４７ａの送風停止時に遮蔽する遮蔽手段５０を、セロファンなどのシート部材５１、５２で構成すると説明した。遮蔽手段５０は、これに限らず、機械的シャッタで遮蔽するものであってもよい。
【００９４】
（２）また、以上説明した本実施形態では、冷蔵室４２の冷蔵温度調整手段である冷蔵ファン４７ａを、冷蔵ダクト４７ａ内に４個設ける構成としてが、冷蔵ファン４７ａの個数は、１個、または２個以上の複数個設けるものであっても、いずれでもよい。
【００９５】
（３）また、以上説明した本実施形態では、収容庫４の冷蔵室側開閉ドア４６の開放時に、冷蔵ダクト４７の冷蔵ファン４７ａを強制送風することにより、冷凍冷気をエアカーテンとして利用した。また、収容庫４の冷凍室側開閉ドア４５の開放時には、クーリングユニット１１０内の冷凍ファン１１ａの送風方向を冷凍室４１の下方向に変えることで、冷凍冷気をエアカーテンに利用することができる（図１参照）。なお、この冷凍ファン１１ａの送風方向を常時冷凍室４１の下方向に設定するようにしてもよい。
【図面の簡単な説明】
【００９６】
【図１】本発明の実施形態の車両用冷凍装置を搭載した車両を模式的に示す斜視図である。
【図２】図１中の収容庫を示す斜視図である。
【図３】図２中の収容庫内の内部を説明する図であって、仕切壁により区画された冷凍室および冷蔵室内の構成を示す斜視図である。
【図４】図３中の冷蔵ダクト内の冷気の流れを示す図であって、図４（ａ）は冷蔵ファンがＯＮ状態、図４（ｂ）は冷蔵ファンがＯＦＦ状態である場合を示す断面図である。
【図５】図３中の循環ダクト内の冷気の流れを示す図であって、図５（ａ）は冷蔵ダクトの冷蔵ファンがＯＮ状態、図５（ｂ）は冷蔵ファンがＯＦＦ状態である場合を示す断面図である。
【図６】図１中の車両用冷凍装置の冷凍サイクルの一例を示す模式図である。
【図７】図２中の冷却ユニットを示す図であって、図７（ａ）は車両の前方よりみた部分断面図、図７（ｂ）は図７（ａ）中のVIIＢよりみた平面図、図７（ｃ）は図７（ｂ）中のVIIＣよりみた断面図である。
【図８】図７（ａ）中のＣ部の構造を示す斜視図である。
【符号の説明】
【００９７】
１  車両
２  コンテナ（貨物庫）
２１  貨物室
２６  貨物室用開閉ドア（第１開閉手段）
４  収容庫
４ａ、４ｂ  上壁
４１  冷凍室
４２  冷蔵室
４３  仕切壁
４５  冷凍室側開閉ドア（第２開閉手段）
４６  冷蔵室側開閉ドア（第２開閉手段）
４７  冷蔵ダクト（ダクト）
４７ａ  冷蔵ファン（送風機）
４７ｂ  第１冷凍室側開口部（冷凍室側の開口部）
４８  還流ダクト
４８ａ  還流入口部（冷蔵室側の開口部）
４８ｂ  第２冷凍室側開口部（還流出口部、冷凍室側の開口部）
５０  遮蔽手段
５１、５２  シート部材
５３  切り込み部
６  制御装置
【図１】
2008134001.tif 000003
【図２】
2008134001.tif 000004
【図３】
2008134001.tif 000005
【図４】
2008134001.tif 000006
【図５】
2008134001.tif 000007
【図６】
2008134001.tif 000008
【図７】
2008134001.tif 000009
【図８】
2008134001.tif 000010